(57)【要約】  【課題】引出し装置を備えた冷蔵庫に関し、ガタツキの少ない高品位かつ荷重を加えても操作力の小さい使い勝手の良い引出しを有する冷蔵庫を提供することを目的とする。  【解決手段】レール部材３１は固定レール３１ａと、移動レール３１ｂと、固定レール３１ａと移動レール３１ｂと、固定レール３１ａと移動レール３１ｂとの係合を支持する回転支持部材である複数のベアリング３１ｄとを有し、固定レール３１ａと移動レール３１ｂとベアリング３１ｄとを予め組み込んだ状態で固定レール３１ａを外箱２１に固定し、移動レール３１ｂをそれぞれの貯蔵室ドアに固定したので滑らかに移動レール３１ｂが移動でき、引出しの操作力を低減することができる。これにより冷蔵庫の使い勝手の向上を図ることができる。【選択図】図２
2005300036.tif 000002
【特許請求の範囲】
【請求項１】
内箱と、外箱と、前記内箱と外箱間に充填した発泡断熱材とよりなる前面開口部を有する断熱箱体と、前記断熱箱体の内部に備えた容器と、同じく前記断熱箱体の内部に備えられ前記容器を支持する容器支持部材と、前記貯蔵室の外部に備えられたレール部材と、前記容器支持部材と前記レール部材とを連結して前記容器を前後に移動可能とする連結部材とからなり、前記レール部材を前記容器の両側部に設け、前記レール部材は固定レールと移動レールとを有し、前記固定レールと移動レールはそれぞれ回転支持部材で支持され前記固定レールと移動レールとを予め組み込んだ状態で前記固定レールを前記外箱に固定し、前記移動レールに前記連結部材を固定し、更に前記連結部材に前記容器支持部材を固定した後に前記容器を前記容器支持部材に支持することを特徴とする冷蔵庫。
【請求項２】
連結部材はレール部材により前後に開閉自在で閉時には断熱箱体の前面開口部を閉塞する扉としたことを特徴とする請求項１に記載の冷蔵庫。
【請求項３】
レール部材の固定レールと移動レールとの間に中間走行レールを備え、前記中間走行レールと前記固定レールおよび移動レールとの係合を回転支持部材で支持し、前記回転支持部材で前記移動レールを前後に摺動可能としたことを特徴とする請求項１または２に記載の冷蔵庫。
【請求項４】
外箱はレール部材の固定レールの位置決めピンを備え、固定レールには前記位置決めピンの位置に対応する穴もしくは凹部を設け、前記固定レールの前記穴もしくは凹部に前記位置決めピンを挿入して位置合わせを行なった後、前記固定レールを前記枠体に固定したことを特徴とする請求項１から３に記載の冷蔵庫。
【請求項５】
位置決めピンを外箱と別体としたことを特徴とする請求項１から４のいずれか一項に記載の冷蔵庫。
【請求項６】
レール部材を複数の貯蔵室に適用したことを特徴とする請求項１から５のいずれか一項に記載の冷蔵庫。
【請求項７】
外箱に少なくとも扉閉時にはレール部材を覆うカバーを備えることを特徴とする請求項１から６のいずれか一項に記載の冷蔵庫。
【請求項８】
外箱は線膨張率が１．０〜３．０×１０−６ｃｍ／ｃｍ・℃としたことを特徴とする請求項１から７のいずれか一項に記載の冷蔵庫。
【発明の詳細な説明】
【技術分野】
【０００１】
本発明は、引出し装置を備えた冷蔵庫に関し、特に引出しレール取付けの構成に関するものである。
【背景技術】
【０００２】
近年、冷蔵庫は大型化に伴い、収納量が増加の傾向にあり、収納量の増加、使い勝手の向上を図るため、引出し装置を備えたものが主流となってきている（例えば、特許文献１参照）。
【０００３】
以下、図面を参照しながら、上記従来の引出し装置を備えた冷蔵庫について説明する。
【０００４】
図６は、従来の冷蔵庫の引出し式扉の斜視図である。図７は従来の冷蔵庫の引出し装置の要部断面図である。図８は、従来の冷蔵庫の引出し装置の断面図である。従来技術の冷蔵庫の引出し装置１７は、冷蔵庫本体前面の開閉自在の扉１と、この扉裏面左右に一端を固定したフレーム２と、後端を連結した連結フレーム１６と、フレーム２の後端に取り付けられた可動ローラー３と、内箱側壁４に固定，取付けられた前記フレーム２と可動ローラー３を摺動支持する固定レール５と固定ローラー６と、前記フレーム２と、連結フレーム１６に載置された庫内ケース１５で構成される。また、フレーム側面９は平面であり、固定レール５の溝部１２も平面である。
【０００５】
そして、扉１の扉裏面左右にあらかじめ固定したフレーム２の後端に取り付けられた可動ローラー３を、冷蔵庫本体側にあらかじめ取り付けた固定レール５の溝部１２に挿入し、フレーム２の底面と固定ローラー６が接して摺動するように組み込まれるものである。
【０００６】
上記構成において、扉１を開閉すると、扉１に一端を固定したフレーム２と、フレーム２に連結された連結フレーム１６と、これらに載置された庫内ケース１５と可動ローラー３が、固定レール５と固定ローラー６上を摺動し、扉１と同期した前後方向の動きを可能としている。
【特許文献１】実公昭６０−２７９１３号公報
【発明の開示】
【発明が解決しようとする課題】
【０００７】
しかしながら、上記従来の冷蔵庫では、扉１の扉裏面左右にあらかじめ固定したフレーム２を冷蔵庫本体側にあらかじめ取り付けた固定レール５に組み込んで使用するため、フレーム２あるいは固定レール５の取付ばらつき、組立性を考慮して、組み込み状態でレールとローラー間には、ある程度のクリアランスを設定して設計している。このクリアランスにより扉１の開閉時に左右のガタツキが生じ、操作性が損なわれたり、操作時の品位が上がらないという課題を有していた。
【０００８】
また、レールとローラー間のクリアランスをある程度設定することによりフレーム２，可動ローラー３，固定レール５，固定ローラー６，連結フレーム１２とが庫内ケース１５の両側面に備えられているため庫内ケース１５の幅寸法を大きくできず収納量が低減してしまうという課題を有していた。
【０００９】
また、レールを庫内に配置することにより、レールの長さがおおよそ庫内の奥行き寸法以下に限定されるためレールの引出し代を大きくできないという課題を有していた。
【００１０】
本発明は上記従来の課題を解決するものであり、ガタツキが少なく，高品位で荷重を加えても操作力が小さく，引出し代の大きい引出し機構と収納量の多い容器とを有し使い勝手のよい冷蔵庫を提供することを目的とする。
【課題を解決するための手段】
【００１１】
上記従来の課題を解決するために、本発明の冷蔵庫は、固定レールと移動レールとをあらかじめ組み込んだ状態のレール部材を外箱に固定し、その後、容器を容器支持部材に支持したものである。
【００１２】
これによって固定レールと移動レールとのクリアランスを小さくすることができ、ガタの少ない高品位な引出しを構成することができる。
【００１３】
また、固定レールと移動レールとの間を回転支持部材で支持することにより容器に荷重を加えた場合でも滑らかに移動レールが移動できるので引出しの操作力を低減することができる。
【００１４】
また、レール部材を外箱に固定したので容器の幅寸法を大きくとることができ容器の収納量を向上させることができるので使い勝手を向上させることができる。
【００１５】
また、固定レールと移動レールとのクリアランスが小さいのでレール部材を外箱に配置した場合の冷蔵庫本体の横幅寸法の拡大を抑制できる。
【００１６】
また、貯蔵室内の温度環境などに影響を受けないので複数の貯蔵室にレール部材を適用する場合でも同一仕様のレール部材を兼用することが容易であり、使用部品の統一によるコストダウンや組立作業性の向上を図ることができる。
【００１７】
更に、レール部材の長さを庫内の奥行き寸法に関係無く設定できるので容器の奥部まで引出すことが容易となり、冷蔵庫の使い勝手を向上させることができる。
【発明の効果】
【００１８】
本発明の冷蔵庫は、ガタが小さく、容器に荷重を加えた場合でも滑らかに引出しを開閉することができ高品位で収納量の多い、使い勝手の良い引出し収納を構成することができる。
【発明を実施するための最良の形態】
【００１９】
請求項１に記載の発明は、内箱と、外箱と、前記内箱と外箱間に充填した発泡断熱材とよりなる前面開口部を有する断熱箱体と、前記断熱箱体の内部に備えた容器と、同じく前記断熱箱体の内部に備えられ前記容器を支持する容器支持部材と、前記貯蔵室の外部に備えられたレール部材と、前記容器支持部材と前記レール部材とを連結して前記容器を前後に移動可能とする連結部材とからなり、前記レール部材を前記容器の両側部に設け、前記レール部材は固定レールと移動レールとを有し、前記固定レールと移動レールはそれぞれ回転支持部材で支持され前記固定レールと移動レールとを予め組み込んだ状態で前記固定レールを前記外箱に固定し、前記移動レールに前記連結部材を固定し、更に前記連結部材に前記容器支持部材を固定した後に前記容器を前記容器支持部材に支持したものであり、固定レールと移動レールとをあらかじめ組み込んだ状態のレール部材を適用することにより固定レールと移動レールとのクリアランスを小さくすることができ、ガタの少ない高品位な引出しを構成することができる。また、固定レールと移動レールとの間を回転支持部材で支持することにより容器に荷重を加えた場合でも滑らかに移動レールが移動できるので引出しの操作力を低減することができ、使い勝手の向上を計ることができる。
【００２０】
また、レール部材を外箱に固定したので容器の幅寸法を大きくとることができ容器の収納量を向上させることができるので更に使い勝手を向上させることができる。
【００２１】
また、レール部材を断熱箱体外に備えることにより貯蔵室内の温度環境などに影響を受けないので複数の貯蔵室にレール部材を適用する場合でも同一仕様のレール部材を兼用することが容易であり、使用部品の統一によるコストダウンや組立作業性の向上を図ることができる。
【００２２】
また、固定レールと移動レールとのクリアランスが小さいのでレール部材を外箱に配置した場合の冷蔵庫本体の横幅寸法の拡大を抑制できる。
【００２３】
また、貯蔵室内の温度環境などに影響を受けないので複数の貯蔵室にレール部材を適用する場合でも同一仕様のレール部材を兼用することが容易であり、使用部品の統一によるコストダウンや組立作業性の向上を図ることができる。
【００２４】
更に、レール部材を断熱箱体の内部に備えた場合に比べレール部材の長さを大きくすることができるのでレール部材の引出し代の向上を図ることができ、冷蔵庫の使い勝手を向上させることができる。
【００２５】
請求項２に記載の発明は、請求項１に記載の発明において、連結部材はレール部材により前後に開閉自在で閉時には断熱箱体の前面開口部を閉塞する扉としたものであり、連結部材を扉と兼用することにより部品点数の削減によるコストダウンを図ることができる。
【００２６】
請求項３に記載の発明は、請求項１または２に記載の発明において、レール部材の固定レールと移動レールとの間に中間走行レールを備え、前記中間走行レールと前記固定レールおよび移動レールとの係合を回転支持部材で支持し、前記回転支持部材で前記移動レールを前後に摺動可能としたものであり、中間走行レールを備えることにより更にレール部材の引出し代の向上を図ることができるので容器の奥部まで引き出す事ができ、容器の奥部まで見渡すことが可能となるので容器収容物の使い忘れによるロスを防止したり、容器をレール部材に着脱することが容易となるので使い勝手の向上を図ることができる。また、中間走行レールを備えることで、レール部材の固定レールと移動レールとの間のクリアランスを最小限に設定することができる。
【００２７】
請求項４に記載の発明は、請求項１から３のいずれか一項に記載の発明において、外箱はレール部材の固定レールの位置決めピンを備え、固定レールには前記位置決めピンの位置に対応する穴もしくは凹部を設け、前記固定レールの前記穴もしくは凹部に前記位置決めピンを挿入して位置合わせを行なった後、前記固定レールを前記枠体に固定したものであり、外箱に備えた位置決めピンと固定レールに設けた穴もしくは凹部を利用して位置合わせ後固定レールを外箱に固定することにより組立作業の信頼性向上、及び簡素化を図ることができる。
【００２８】
請求項５に記載の発明は、請求項１から４のいずれか一項に記載の発明において、位置決めピンを外箱と別体としたものであり、位置決めピンを外箱と別体とすることにより外箱の成型が容易となるためコストダウンを図ることができる。
【００２９】
請求項６に記載の発明は、請求項１から５のいずれか一項に記載の発明において、レール部材を複数の貯蔵室に適用したものであり、使い勝手の良いレール部材を複数の貯蔵室に適用することにより、更に冷蔵庫の使い勝手を向上させることができる。
【００３０】
請求項７に記載の発明は、請求項１から６のいずれか一項に記載の発明において、外箱に少なくとも扉閉時にはレール部材を覆うカバーを備えるものであり、レール部材をカバーで覆うことにより外観品位を向上させることができる。
【００３１】
請求項８に記載の発明は、請求項１から７のいずれか一項に記載の発明において、外箱は線膨張率が１．０〜３．０×１０−６ｃｍ／ｃｍ・℃としたものであり、外箱を線膨張率が小さい材料で形成することにより、冷蔵庫の設置環境温度の影響を受けて外箱が収縮することによる操作性への影響を低減できるのでレール部材の操作信頼性を向上することができる。
【００３２】
以下、本発明の実施の形態について、図面を参照しながら説明する。なお、この実施の形態によってこの発明が限定されるものではない。
【００３３】
（実施の形態１）
図１は本発明の実施の形態１における冷蔵庫の横断面図、図２は図１のＡ−Ａ断面図、図３は同実施の形態の冷蔵庫の要部斜視図、図４は、同実施の形態の冷蔵庫のレール部材の分解組立図、図５は、同実施の形態の冷蔵庫のレール部材の断面図である。
【００３４】
図１から図５において、冷蔵庫１８の断熱箱体１９は内箱２０と外箱２１との間に発泡断熱材２２を充填したものであり、前面開口部１９ａを有し、仕切壁２３、２３ａ、２６により、上部より冷蔵室２４、切替室２５、野菜室２７、冷凍室２８を形成している。
【００３５】
また、仕切壁２６の両側面は開放部２６ａを有し、仕切壁２６内部には断熱箱体１９と同様に発泡断熱材２２が充填されている。
【００３６】
また、仕切壁２６の上部に配置する野菜室２７は冷却温度が５℃程度、下部に配置する冷凍室２８は冷却温度が−２０℃程度というように仕切壁２６を介して上下に異なる温度帯に設定されている。
【００３７】
野菜室２７と冷凍室２８とはそれぞれ前面開口部２２ａを野菜室ドア２９と冷凍室ドア３０にて閉塞され、更に野菜室２７と野菜室ドア２９および冷凍室２８と冷凍室ドア３０とは、それぞれ外箱２１の発泡断熱材２２が充填された側と反対の面となる平面の外箱外面２１ａの各貯蔵室の両側部に固定されたレール部材３１にて連結されることにより前後方向に引出し摺動可能となっている。
【００３８】
外箱２１のレール部材３１の固定位置にはレール部材３１を外箱２１に固定する前に外箱２１とレール部材３１とを位置合わせする位置決めピン３２を備える。
【００３９】
位置決めピン３２は外箱２１と別体であり、外箱２１の発泡断熱材２２を充填した側の面である外箱内面２１ｂより外箱２１に設けた外箱穴２１ｃを貫通して外箱２１ａより更に５〜１０ｍｍ程度突出した略棒形状となっている。
【００４０】
レール部材３１は固定レール３１ａと、移動レール３１ｂと、固定レール３１ａと移動レール３１ｂとの間に備えられた中間走行レール３１ｃと、中間走行レール３１ｃと固定レール３１ａおよび移動レール３１ｂとの係合を支持する回転支持部材である複数のベアリング３１ｄと、固定レール３１ａの位置決めピン３２に対応する位置に設けた穴３１ｅとからなり、固定レール３１ａと移動レール３１ｂと中間走行レール３１ｃとベアリング３１ｄとを予め組み込んだ状態で位置決めピン３２を穴３１ｅに挿入して位置合わせした後に固定レール３１ａを外箱外面２１ａに固定し、移動レール３１ｂをそれぞれの貯蔵室ドアに固定することでそれぞれの貯蔵室と貯蔵室ドアとを連結している。
【００４１】
なお、固定レール３１ａと移動レール３１ｂと、固定レール３１ａと移動レール３１ｂとの間にベアリング３１ｄを介して配設した中間走行レール３１ｃとを有するレール部材３１は予め組み込んだものであり、それぞれのレール間のクリアランスを最小限に設定することができる。
【００４２】
更に外箱外面２１ａに固定された左右のレール部材３１は左右対称の形状を有し、左右共に備えることでより良い摺動性を発揮する。
【００４３】
また、外箱２１には少なくとも各貯蔵室ドアが閉時にはレール部材３１と位置決めピン３２とのほとんどを覆うカバー３３を備える。
【００４４】
カバー３３は全面開口部を有し、レール部材３１の固定後に外箱外面２１ａ側より外箱２１に取付けられ左右方向の面は外箱２１ａよりも更に凸となっている。
【００４５】
各貯蔵室ドアは冷蔵庫１８を正面から見たときにレール部材３１やカバー３３を覆う大きさとなっている。
【００４６】
また、各貯蔵室ドアは左右のレール部材３１の移動レール３１ｂと各貯蔵室内に備えられた容器３４を支持する容器支持材３５とを連結している。
【００４７】
容器３４はレール部材３１を通じて各貯蔵室ドアと外箱２１とを連結し、各貯蔵室ドアに容器支持部材３５を固定した後に容器支持部材３５に支持する。
【００４８】
したがって容器３４は各貯蔵室ドアを前後方向に引出すのと同期して移動レール３１ｂと容器支持部材３５と共に前後方向に移動し、更に各貯蔵室ドアを少なくとも全開した時に容器３４は上方向に着脱自在となっている。
【００４９】
容器支持部材３５は各貯蔵室内で容器３４の両側部にそれぞれ備えられ、断面略長方形の棒状であり、その一端は各貯蔵室ドアに固定され他方は容器３４の奥面付近まで達している。
【００５０】
また、外箱２１は線膨張率が１．０〜３．０×１０−６ｃｍ／ｃｍ・℃である材料にて形成されることが望ましい。
【００５１】
また、ベアリング３１ｄは回転支持部材であればよく、たとえばローラー等を用いてもよい。
【００５２】
以上のように構成された冷蔵庫について、以下その動作、作用を説明する。
【００５３】
まず、各貯蔵室ドアを手前に引出すと各貯蔵室の両側部に備えられたレール部材３１の移動レール３１ｂと中間走行レール３１ｃとが回転支持部材３１ｄが回転することにより滑らかに手前側に摺動する。
【００５４】
それに伴い、容器支持部材３５に支持された容器３４も手前に引出され、容器３４内に収納された被冷却物の取出し及び新たな被冷却物の収納が可能となる。
【００５５】
以上のように本実施の形態においては固定レール３１ａと移動レール３１ｂとをあらかじめ組み込んだ状態のレール部材３１を外箱２１に固定することにより固定レール３１ａと移動レール３１ｂとのクリアランスを小さくすることができ、ガタの少ない高品位な引出しを構成することができる。また、クリアランスを小さくすることにより取付けのバラツキも小さくできるのでドアの取付け不具合による傾きや他のドアとの間隔の不均一化という外観不良も抑制することができる。これらの効果はレール部材３１の引出し代が大きいほど効果的である。また、固定レール３１ａと移動レール３１ｂとの間を回転支持部材であるベアリング３１ｄで支持することにより容器３４に荷重を加えた場合でも滑らかに移動レール３１ｂが移動できるので引出しの操作力を低減することができ、使い勝手の向上を図ることができる。
【００５６】
また、レール部材３１を外箱２１に固定したので容器３４の幅寸法を大きくとることができ容器３４の収納量を向上させることができるので更に使い勝手を向上させることができる。
【００５７】
更にレール部材３１を断熱箱体１９外に備えることにより貯蔵室内の温度環境などに影響を受けないので複数の貯蔵室にレール部材３１を適用する場合でも同一仕様のレール部材３１を兼用することが容易であり、使用部品の統一によるコストダウンや組立作業性の向上を図ることができる。
【００５８】
また、それぞれのレール間のクリアランスが小さいのでレール部材３１を外箱２１に配置した場合の冷蔵庫１８の横幅寸法の拡大を抑制できる。
【００５９】
更に、レール部材３１を断熱箱体１９の内部に備えた場合に比べレール部材３１の長さを大きくすることができるのでレール部材３１の引出し代の向上を図ることができ、冷蔵庫１８の使い勝手を向上させることができる。
【００６０】
また、貯蔵室ドアを左右のレール部材３１の移動レール３１ｂと各貯蔵室内に備えられた容器３４を支持する容器支持材３５とを連結する連結部材として兼用することにより部品点数の削減によるコストダウンを図ることができる。
【００６１】
また、中間走行レール３１ｃを備えることによりレール部材３１の移動レール３１ｂの引出し代を大きくすることができるので容器３４の奥部まで引き出す事ができ、容器３４の奥部まで見渡すことが可能となり、容器３４内の被冷却物の使い忘れによるロスを防止したり、容器３４をレール部材３１に着脱することが容易となるので使い勝手の向上を図ることができる。
【００６２】
特に各貯蔵室の容器３４の奥行きを大きくしたものを手前まで引出したい場合には中間走行レール３１ｃを備えることにより、引出し時のレール部材３１の強度や操作性に有効となる。
【００６３】
また、外箱２１に備えた位置決めピン３２と固定レール３１ａに設けた穴３１ｅとを利用して位置合わせ後固定レール３１ａを外箱２１に固定することにより組立作業の信頼性向上、及び簡素化を図ることができる。
【００６４】
なお、本実施の形態では位置合わせに略棒形状の位置決めピン３２と穴３１ｅとを利用したが、例えば位置決めピン３２をリブ形状とし、それにあわせて固定レール３１ａを位置合わせ可能とすれば同様の効果を得ることができる。
【００６５】
また、位置決めピン３２を外箱２１と別体としたので、位置決めピン３２を外箱２１と別体とすることにより外箱２１の成型が容易となりコストダウンを図ることができる。
【００６６】
また、レール部材３１を複数の貯蔵室に適用したので、使い勝手の良いレール部材３１を複数の貯蔵室に適用することにより、更に冷蔵庫１８の使い勝手の向上を計ることができる。
【００６７】
また、外箱２１の線膨張率を１．０〜３．０×１０−６ｃｍ／ｃｍ・℃とした線膨張率が小さい材料で形成することにより、冷蔵庫１８の設置環境による外気温の変動に伴って外箱２１が収縮することによる操作性への影響を低減できるのでレール部材３１の操作信頼性を向上することができる。
【００６８】
なお、本実施の形態ではレール部材３１と容器３４と容器支持部材３５とを野菜２７と冷凍室２８とで共通としたが、実使用の収納形態などによりそれぞれ貯蔵室別に異なる形状，材料で形成したものを使用するとさらに使い勝手向上、信頼性向上を図ることができる。
【００６９】
また、外箱２１は線膨張率が１．０〜３．０×１０−６ｃｍ／ｃｍ・℃である材料としたが、一般的には線膨張率に関しては金属類が１．０〜３．０×１０−６ｃｍ／ｃｍ・℃で樹脂類は１．０〜１５．０×１０−５ｃｍ／ｃｍ・℃である。
【００７０】
従って、外箱２１の材料としては冷蔵庫１８の運転時にレール部材３１の取付け位置精度が要求されるため線膨張率の小さい金属類を使用することがのぞましい。
【００７１】
なお、本実施の形態では、野菜室２７と冷凍室２８にレール部材３１を用いたもので説明したが、引出し容器を備えた貯蔵室に適宜適用できる。たとえば、野菜室２６の上部に位置する切替室２５や、切替室２５の横に併設した製氷室（図示せず）等に用いてもよい。
【００７２】
なお、本実施の形態では平面の外箱外面２１ａの各貯蔵室の両側部にレール部材３１を固定するとしたが、外箱外面２１ａのレール部材３１固定部を凹部としてレール部材３１を固定したり、レール部材３１を発泡断熱材２２の内部に配置して固定レール３１ａを外箱内面２１ｂに固定しても良い。
【００７３】
前者の場合には本実施の形態に比べ外箱外面２１ａからカバー３３が凸となる部分が小さく、あるいは廃止できるので冷蔵庫１８を横から見た時の外観品位が向上し、さらに冷蔵庫１８の設置に必要な幅寸法も低減できるので使い勝手も向上させることができる。
【００７４】
後者の場合はそれに加え更にカバー３３を廃止できるのでコストダウンを図ることができる。
【００７５】
また、本実施の形態では容器３４の支持に容器支持部材３５を使用したが容器３４を各貯蔵室ドアと一体化すれば容器支持部材３５を廃止できるのでコストダウンを図ることができ、更に容器３４の幅寸法を大きくすることができるので収納量も増し使い勝手を向上させることができる。
【００７６】
また、移動レール３１ｂと容器支持部材３５とを別体としているが、各貯蔵室ドアとの固定部付近で連結して一体すると貯蔵室ドアへの固定部品が２部品から１部品に削減できるので組立工数の削減を図ることができコストダウンとなる。
【００７７】
更に冷却性能に影響が小さい程度に断熱箱体１９の両側面の一部を前後方向に切り欠き、その切り欠きを一体となった移動レール３１ｂと容器支持部材３５とが前後に移動可能とすれば移動レール３１ｂと容器支持部材３５との連結部を各貯蔵室との固定部付近に限定することなく前後方向に複数箇所設けることが可能となるので連結部の強度信頼性を向上させることができる。
【００７８】
また、本実施の形態では、容器３４をレール部材３１を通じて各貯蔵室ドアと外箱２１とを連結し、各貯蔵室ドアに容器支持部材３５を固定した後に容器支持部材３５に支持するとしたが各貯蔵室ドアに先に容器支持部材３５を固定したものをレール部材３１を通じて外箱２１と連結しても良い。
【００７９】
なお、本実施の形態ではレール部材３１を各貯蔵室の両側部に設けたが、最上段及び冷凍室２８のように最下段の貯蔵室においてはそれぞれ外箱２１の上面，下面にレール部材３１を備えることで外箱２１の両側面をフラットとして外観品位を向上させることができる。
【００８０】
また、レール部材３１の取付け部が直接外観に表れないのでカバー３３の材料やレール部材３１の取付け用ビスの表面処理を簡素化することができ、コストダウンを図ることができる。
【産業上の利用可能性】
【００８１】
以上のように、本発明にかかる冷蔵庫は、ガタが小さく、容器に荷重を加えた場合でも滑らかに引出しを開閉することができ、高品位で使い勝手の良い引出し収納ができるので、冷凍装置を備えた冷却貯蔵庫の引出し装置等の用途にも適用できる。
【図面の簡単な説明】
【００８２】
【図１】本発明の実施の形態１における冷蔵庫の横断面図
【図２】図１のＡ−Ａ断面図
【図３】同実施の形態の冷蔵庫の要部斜視図
【図４】同実施の形態の冷蔵庫のレール部材の分解組立図
【図５】同実施の形態の冷蔵庫のレール部材の断面図
【図６】従来の冷蔵庫の引出し式扉の斜視図
【図７】従来の冷蔵庫の引出し装置の要部断面図
【図８】従来の冷蔵庫の引出し装置の断面図
【符号の説明】
【００８３】
１８  冷蔵庫
１９  断熱箱体
１９ａ  前面開口部
２０  内箱
２１  外箱
２１ａ  外箱外面
２１ｂ  外箱内面
２１ｃ  外箱穴
２２  発泡断熱材
２７  野菜室
２８  冷凍室
３１  レール部材
３１ａ  固定レール
３１ｂ  移動レール
３１ｃ  中間走行レール
３１ｄ  ベアリング
３１ｅ  穴
３２  位置決めピン
３３  カバー
３４  容器
３５  容器支持部材
【図１】
2005300036.tif 000003
【図２】
2005300036.tif 000004
【図３】
2005300036.tif 000005
【図４】
2005300036.tif 000006
【図５】
2005300036.tif 000007
【図６】
2005300036.tif 000008
【図７】
2005300036.tif 000009
【図８】
2005300036.tif 000010